(57)【要約】【課題】表示装置の開閉を検出できるカメラを低コストで提供する。【解決手段】本発明に係るカメラ（１）は、カメラ本体（２）と、表示画面（２７）を有し、前記カメラ本体に対し回動自在に連結された表示部（１７）と、前記表示部が前記カメラ本体に対し閉位置となる角度まで回動した場合に前記表示部で発せられた信号光を検出可能な光検出部（１９）と、前記光検出部が前記表示部から発せられた信号光を検出した場合に、前記カメラ本体及び／又は前記表示部の状態を切り替える制御部と、を備える。【選択図】図２
2013172342.tif 000002
【特許請求の範囲】
【請求項１】
カメラ本体と、
表示画面を有し、前記カメラ本体に対し回動自在に連結された表示部と、
前記表示部が前記カメラ本体に対し閉位置となる角度まで回動した場合に前記表示部で発せられた信号光を検出可能な光検出部と、
前記光検出部が前記表示部から発せられた信号光を検出した場合に、前記カメラ本体及び／又は前記表示部の状態を切り替える制御部と、
を備えるカメラ。
【請求項２】
請求項１に記載のカメラにおいて、
前記光検出部は、前記表示画面の周囲に配置され、当該表示画面に照射された光の照度を検出する照度センサであり、
前記制御部は、前記照度センサで検出した光の照度に応じて前記表示部における前記表示画面の輝度を制御し、且つ前記照度センサが前記表示部から発せられた信号光を検出した場合には、前記カメラ本体及び／又は前記表示部の状態を切り替えることを特徴とするカメラ。
【請求項３】
請求項１又は２に記載のカメラにおいて、
前記制御部は、前記光検出部で検出された光の照度が設定値より小さくなった場合に、前記表示部の前記表示画面から信号光を発することを特徴とするカメラ。
【請求項４】
請求項１〜３のいずれか一項に記載のカメラにおいて、
前記制御部は、前記光検出部において前記表示部から発せられた信号光を検出した場合には、前記表示部における画像の表示を停止することを特徴とするカメラ。
【請求項５】
請求項４に記載のカメラにおいて、
前記制御部は、前記光検出部において前記表示部から発せられた信号光を検出して、前記表示部における画像の表示を停止した後、前記表示部から定期的に信号光を発生させ、前記光検出部において前記表示部から発せられた信号光を検出しない場合には、前記表示部における画像の表示を再開することを特徴とするカメラ。
【請求項６】
請求項１〜５のいずれか一項に記載のカメラにおいて、
前記カメラ本体は、前記表示部から発せられた信号光を前記光検出部に向けて反射する反射部材を備えることを特徴とするカメラ。
【発明の詳細な説明】
【技術分野】
【０００１】
本発明は、可動式の表示装置を備えたカメラに関する。
【背景技術】
【０００２】
可動式の表示装置を備えたカメラでは、表示装置の開閉を磁石型センサにより検出している。カメラは、表示装置の開閉を検出すると、例えば、カメラ本体のモードを切り替えたり、表示装置の表示内容を切り替えたりする。しかし、磁石型センサはコストが高いうえ、表示装置のヒンジ部と機械的に連結する必要があるために構造が複雑になる。また、ヒンジ部に磁石型センサを組み込むと、カメラボディにおいて、表示装置やヒンジ部のスペースが制限される。
【０００３】
一方、従来、表示装置を備えたカメラに関して、撮影者の接近を近接センサにより検出し、表示内容を切り替える技術が提案されている（例えば、特許文献１参照）。
【先行技術文献】
【特許文献】
【０００４】
【特許文献１】特開２００４−１４０７３６号公報
【発明の概要】
【発明が解決しようとする課題】
【０００５】
上述した可動式の表示装置を備えたカメラにおいて、先行技術文献に記載された近接センサを用いることにより、表示装置の開閉を検出する構成も考えられる。しかし、一般に近接センサは、発光素子と受光素子とを備えるため、コストが高くなる。また、２つのセンサを近接して配置する必要があるため、カメラ本体の取付け位置にも制約を受ける。
【０００６】
本発明の課題は、表示装置の開閉を検出できるカメラを低コストで提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に記載の発明は、カメラ本体（２）と、表示画面（２７）を有し、前記カメラ本体に対し回動自在に連結された表示部（１７）と、前記表示部が前記カメラ本体に対し閉位置となる角度まで回動した場合に前記表示部で発せられた信号光を検出可能な光検出部（１９）と、前記光検出部が前記表示部から発せられた信号光を検出した場合に、前記カメラ本体及び／又は前記表示部の状態を切り替える制御部（２２）と、を備えるカメラ（１）である。
請求項２に記載の発明は、請求項１に記載のカメラ（１）おいて、前記光検出部（１９）は、前記表示画面（２７）の周囲に配置され、当該表示画面に照射された光の照度を検出する照度センサであり、前記制御部（２２）は、前記照度センサで検出した光の照度に応じて前記表示部（１７）における前記表示画面の輝度を制御し、且つ前記照度センサが前記表示部から発せられた信号光を検出した場合には、前記カメラ本体（２）及び／又は前記表示部の状態を切り替えることを特徴とする。
請求項３に記載の発明は、請求項１又は２に記載のカメラ（１）おいて、前記制御部（２２）は、前記光検出部（１９）で検出された光の照度が設定値より小さくなった場合に、前記表示部（１７）の前記表示画面（２７）から信号光を発することを特徴とする。
請求項４に記載の発明は、請求項１〜３のいずれか一項に記載のカメラ（１）において、前記制御部（２２）は、前記光検出部（１９）において前記表示部（１７）から発せられた信号光を検出した場合には、前記表示部における画像の表示を停止することを特徴とする。
請求項５に記載の発明は、請求項４に記載のカメラ（１）において、前記制御部（２２）は、前記光検出部（１９）において前記表示部（１７）から発せられた信号光を検出して、前記表示部における画像の表示を停止した後、前記表示部から定期的に信号光を発生させ、前記光検出部において前記表示部から発せられた信号光を検出しない場合には、前記表示部における画像の表示を再開することを特徴とする。
請求項６に記載の発明は、請求項１〜５のいずれか一項に記載のカメラ（１）おいて、前記カメラ本体（２）は、前記表示部（１７）から発せられた信号光を前記光検出部（１９）に向けて反射する反射部材（５）を備えることを特徴とする。
なお、符号を付して説明した構成は、適宜改良してもよく、また、少なくとも一部を他の構成物に代替してもよい。
【発明の効果】
【０００８】
本発明によれば、表示装置の開閉を検出できるカメラを低コストで提供することができる。
【図面の簡単な説明】
【０００９】
【図１】実施形態に係るカメラ１の機能的な構成を示すブロック図である。
【図２】カメラ１において液晶モニタ１７を開いた状態を示す斜視図である。
【図３】カメラ１において液晶モニタ１７を閉じた状態を示す斜視図である。
【図４】バックライト１８における輝度変化の一例を示す信号波形図である。
【図５】カメラ制御部２２が液晶モニタ１７の画像表示や輝度を制御する場合の処理手順を示すフローチャートである。
【発明を実施するための形態】
【００１０】
以下、図面を参照して、本発明に係るカメラの実施形態について説明する。なお、以下に示す図２及び図３には、説明と理解とを容易にするために、ＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。更に、正位置において被写体に向かう方向をＺ方向とする。
【００１１】
図１は、本実施形態に係るカメラ１の機能的な構成を示すブロック図である。図２は、カメラ１において液晶モニタ１７を開いた状態を示す斜視図である。図３は、カメラ１において液晶モニタ１７を閉じた状態を示す斜視図である。図４は、バックライト１８における輝度変化の一例を示す信号波形図である。図５は、カメラ制御部２２が液晶モニタ１７の画像表示や輝度を制御する場合の処理手順を示すフローチャートである。
【００１２】
本実施形態に係るカメラ１は、カメラ本体としてのカメラボディ２と、レンズ鏡筒３と、を備える（図２参照）。カメラ１は、カメラボディ２に対してレンズ鏡筒３が着脱自在に装着されるレンズ交換式のデジタル一眼レフカメラである。
【００１３】
図１に示すように、カメラボディ２は、撮像部１１と、画像処理部１２と、記録部１３と、測光部１４と、を備える。また、カメラボディ２は、発光部１５と、操作部１６と、液晶モニタ１７と、バックライト１８と、照度センサ１９と、データメモリ２０と、画像バッファ２１と、カメラ制御部２２と、を備える。
【００１４】
撮像部１１は、撮像素子（不図示）により構成されたイメージセンサである。撮像部１１は、撮像素子の撮像面において被写体光像を撮像し、電気的な画像データに変換して出力する。撮像部１１から出力された画像データは、画像処理部１２において各種の画像処理が施される。
記録部１３は、画像処理部１２において画像処理された画像データを、メモリカード（不図示）に記録する。メモリカードは、記録部１３に対し着脱自在な記憶手段である。
【００１５】
測光部１４は、被写体光像の輝度（明るさ）を検出して測光値を出力する回路である。測光部から出力された測光値は、カメラ制御部２２に送信される。なお、本発明を、独立した測光部を持たないカメラ、例えば、汎用のコンパクトデジタルカメラ等に適用した場合には、撮像部１１で撮像された画像データに基づいて被写体の輝度が検出される。
発光部１５は、カメラ制御部２２の制御により照明光を発光するポップアップ式の照明装置である。発光部１５は、被写体の輝度が基準値よりも低い場合に自動的にポップアップする。また、発光部１５は、撮影者がボタン操作することにより、手動でポップアップさせることができる。
【００１６】
操作部１６は、撮影者がカメラ制御部２２に対してモード選択や設定変更等の各種の操作を行うための入力手段である。操作部１６は、図２に示すシャッターボタン２３、モードダイヤル２４、コマンドダイヤル２５、マルチセレクタ２６等により構成される。シャッターボタン２３の周囲には、カメラボディ２の電源をオン／オフするための電源スイッチ（不図示）が設けられている。
【００１７】
液晶モニタ１７は、撮像部１１で撮影された画像、撮影条件やカメラの操作に関連する情報、各種メッセージ等を表示する表示部である。液晶モニタ１７は、一軸式のヒンジ部４により、カメラボディ２に対し回動自在に連結されている。液晶モニタ１７は、ヒンジ部４を中心として、１８０度回動させることができる。すなわち、液晶モニタ１７は、図３に示す閉じた位置（０°）から、最大で１８０°まで回動させることができる。図２は、液晶モニタ１７を１５０°程度開いた状態を示す。本実施形態では、液晶モニタ１７がカメラボディ２に対し閉位置となる角度を０°〜５°とする。また、液晶モニタ１７がカメラボディ２に対し開位置となる角度を６°〜１８０°とする。
【００１８】
液晶モニタ１７は、図２に示すように、一方の側に表示画面２７を有する。表示画面２７は、画像を表示する部分である。また、液晶モニタ１７は、図３に示すように、他方の側に背面カバー２８を有する。
【００１９】
バックライト１８は、液晶モニタ１７の背面に配置された平面形の照明装置である。バックライト１８の輝度は、カメラ制御部２２により制御される。
【００２０】
照度センサ１９は、液晶モニタ１７の表示画面２７に照射された周囲光の照度を検出する光検出部である。本実施形態の照度センサ１９は、液晶モニタ１７がカメラボディ２に対し閉位置となる角度まで回動した場合に、液晶モニタ１７から発せられた信号光（後述）を検出する光検出部としても機能する。
【００２１】
照度センサ１９は、図２に示すように、表示画面２７の近傍に設けられている。一方、カメラボディ２の背面側には、反射板５が設けられている。反射板５は、液晶モニタ１７がカメラボディ２に対し閉位置となる角度まで回動したときに、液晶モニタ１７から発せられた信号光を照度センサ１９に向けて反射する反射部材である。
【００２２】
データメモリ２０は、撮影者が操作部１６を介して入力した設定情報、カメラ１の動作や制御に必要なプログラム、このプログラムの実行に必要な初期値や設定値等に関するデータが記憶されるメモリである。また、カメラ１は、カメラ制御部２２等が演算処理を実行する際に必要なデータ等を一時的に記憶する揮発性メモリ（不図示）を備える。
画像バッファ２１は、画像処理部１２が画像データを画像処理する際に使用するメモリである。
【００２３】
カメラ制御部２２は、カメラ１を統括的に制御するマイクロプロセッサである。カメラ制御部２２は、ＡＦ（自動焦点調節）やＡＥ（自動露出）の制御を実行すると共に、不図示の絞り機構やシャッタ等を所定のタイミングで駆動して、撮像部１１において被写体光像を撮像させる制御を実行する。
【００２４】
また、カメラ制御部２２は、照度センサ１９で検出した周囲光の照度に応じて、液晶モニタ１７の表示画面２７を照らすバックライト１８の輝度を制御する（以下、適宜に「自動輝度制御」という）。具体的には、カメラ制御部２２は、周囲光の照度が高ければバックライト１８の輝度を高くし、周囲光の照度が低ければバックライト１８の輝度を低くする。これにより、表示画面２７の視認性が向上し、また省電力を実現できる。なお、カメラ制御部２２は、照度センサ１９で検出した照度（測定値ｍ）を、照度センサ１９から所定の時間間隔で取得する。
【００２５】
また、カメラ制御部２２は、照度センサ１９で検出された周囲光の測定値ｍが設定値ｓよりも小さくなった場合に、液晶モニタ１７から信号光を発生させる。具体的には、カメラ制御部２２は、図４に示すように、期間ｔにおいて、バックライト１８の輝度を周期的に変化させる。これにより、液晶モニタ１７の表示画面２７に表示される画像が明滅して信号光となる。カメラ制御部２２は、照度センサ１９で検出された周囲光の測定値ｍが設定値ｓよりも小さくなった場合に、液晶モニタ１７から信号光を期間ｔ（例えば、数ｍｓ）の間発生させる。なお、信号光を発する期間ｔ及びバックライト１８の輝度を変化させる周期は、撮影者の目に判別できない、又は違和感を与えない範囲に設定することが好ましい。
【００２６】
カメラ制御部２２は、液晶モニタ１７から信号光を発するように制御した後、照度センサ１９が液晶モニタ１７から発せられた信号光を検出した場合には、液晶モニタ１７における画像表示を停止する。すなわち、照度センサ１９で検出される周囲光が少なくなり、その後、照度センサ１９において液晶モニタ１７から発せられた信号光を検出した場合には、撮影者が液晶モニタ１７を閉位置まで回動させたと考えられる（図３参照）。このため、カメラ制御部２２は、液晶モニタ１７における画像表示を停止する。
【００２７】
また、液晶モニタ１７における画像表示を停止した後、カメラ制御部２２は、液晶モニタ１７から信号光を期間ｔの間発生させる動作を周期的に実行する（後述するフローチャートの実行タイミングに相当）。信号光を周期的に発生させる動作は、カメラ１の電源がオフされるまで継続して実行する。カメラ制御部２２は、液晶モニタ１７から信号光を周期的に発生させている間に、照度センサ１９において、液晶モニタ１７から発せられた信号光を検出しない場合には、液晶モニタ１７における画像表示を再開する。
【００２８】
すなわち、照度センサ１９において、液晶モニタ１７から発せられた信号光を検出した場合には、液晶モニタ１７が閉位置にあると考えられる。このため、カメラ制御部２２は、液晶モニタ１７において画像表示の停止した状態を継続する。一方、照度センサ１９において、液晶モニタ１７から発せられた信号光を検出しない場合には、撮影者が液晶モニタ１７を閉位置から開いたと考えられる。このため、カメラ制御部２２は、液晶モニタ１７における画像表示を再開する。
【００２９】
一方、カメラ制御部２２は、液晶モニタ１７から信号光を発するように制御した後、照度センサ１９において、液晶モニタ１７から発せられた信号光を検出しない場合には、液晶モニタ１７における画像表示を継続し、バックライト１８の自動輝度制御を行なう。すなわち、照度センサ１９で検出される周囲光が少なくなり、且つ信号光を検出しない場合には、液晶モニタ１７が閉位置まで回動したのではなく、カメラ１の周囲が暗くなったと考えられる。カメラ１の周囲が暗くなる状況としては、例えば、撮影者が暗い場所に移動した場合や、室内の明かりが消灯した場合等が挙げられる。この場合、カメラ制御部２２は、液晶モニタ１７における画像表示を継続すると共に、バックライト１８の自動輝度制御（この場合は最小輝度まで下げる）を行なう。
【００３０】
次に、上記のように構成されたカメラ１において、カメラ制御部２２が、液晶モニタ１７の画像表示や輝度を制御する場合の処理手順を、図５を参照しながら説明する。図５に示すフローチャートの処理は、カメラボディ２の電源がオンすることにより開始し、所定時間間隔で周期的に実行される。
【００３１】
ステップＳ１０１において、カメラ制御部２２は、照度センサ１９で検出された照度の測定値ｍを取得する。
【００３２】
ステップＳ１０２において、カメラ制御部２２は、ステップＳ１０１で取得した測定値ｍと照度判定の設定値ｓとを比較し、測定値ｍが設定値ｓより小さいか否かを判定する。カメラ制御部２２は、ステップＳ１０２において、測定値ｍが設定値ｓより大きい（ＮＯ）と判定した場合には、ステップＳ１０３の処理へ移行する。また、カメラ制御部２２は、ステップＳ１０２において、測定値ｍが設定値ｓより小さい（ＹＥＳ）と判定した場合には、ステップＳ１０４の処理へ移行する。
【００３３】
ステップＳ１０２（判定：ＮＯ）から移行したステップＳ１０３において、カメラ制御部２２は、照度センサ１９で検出した周囲光の照度（測定値）に応じて、液晶モニタ１７の表示画面２７を照らすバックライト１８の輝度を制御する（自動輝度制御）。カメラ１が周囲光により所定の照度で照らされている場合には、ステップＳ１０３の処理が実行される。カメラ制御部２２は、ステップＳ１０３の処理を実行した後、本フローチャートの処理を終了する。
【００３４】
一方、ステップＳ１０２（判定：ＹＥＳ）から移行したステップＳ１０４において、カメラ制御部２２は、バックライト１８の輝度を周期的に変化させて、液晶モニタ１７から信号光を発生させる。
【００３５】
ステップＳ１０５において、カメラ制御部２２は、照度センサ１９において、信号光を検出したか否かを判定する。カメラ制御部２２は、ステップＳ１０５において、信号光を検出した（ＹＥＳ）と判定した場合には、ステップＳ１０６の処理へ移行する。また、カメラ制御部２２は、ステップＳ１０５において、信号光を検出しない（ＮＯ）と判定した場合には、ステップＳ１０７の処理へ移行する。
【００３６】
ステップＳ１０５（判定：ＹＥＳ）から移行したステップＳ１０６において、カメラ制御部２２は、液晶モニタ１７における画像表示を停止し、本フローチャートの処理を終了する。撮影者が液晶モニタ１７を閉じた場合には、ステップＳ１０６の処理が実行される。
【００３７】
一方、ステップＳ１０５（判定：ＮＯ）から移行したステップＳ１０７において、カメラ制御部２２は、液晶モニタ１７の画像表示を停止しているか否かを判定する。カメラ制御部２２は、ステップＳ１０７において、液晶モニタ１７の画像表示を停止していない、すなわち、画像表示を継続していると判定した場合には、ステップＳ１０３の処理（自動輝度制御）へ移行する。カメラ１の周囲が暗くなった場合には、ステップＳ１０７からステップＳ１０３へ移行する処理が実行される。また、カメラ制御部２２は、ステップＳ１０７において、液晶モニタ１７における画像表示を停止していると判定した場合には、ステップＳ１０８の処理へ移行する。
【００３８】
ステップＳ１０７（判定：ＹＥＳ）から移行したステップＳ１０８において、カメラ制御部２２は、液晶モニタ１７における画像表示を再開し、ステップＳ１０３の処理（自動輝度制御）へ移行する。液晶モニタ１７が閉じられた状態から、撮影者が再び液晶モニタ１７を開いた場合には、ステップＳ１０８からステップＳ１０３の処理が実行される。ステップＳ１０３の処理を実行した後、カメラ制御部２２は、本フローチャートの処理を終了する。
【００３９】
上述した実施形態によれば、以下の効果を奏する。
（１）本実施形態において、カメラ制御部２２は、液晶モニタ１７がカメラボディ２に対し閉位置となる角度まで回動した場合に、液晶モニタ１７から信号光を発するように制御する。そして、カメラ制御部２２は、照度センサ１９が液晶モニタ１７から発せられた信号光を検出した場合に、液晶モニタ１７の状態を切り替える。このため、コストの高い近接センサを用いることなしに、液晶モニタ１７がカメラボディ２に対し閉位置となる角度まで回動したことを検出することができる。従って、液晶モニタ１７の開閉を検出できるカメラ１を低コストで提供できる。
【００４０】
（２）本実施形態では、液晶モニタ１７から発せられた信号光を検出する光検出部として、液晶モニタ１７の表示画面２７に照射された周囲光の照度を検出する照度センサ１９が兼用される。このため、液晶モニタ１７から発せられた信号光を検出する専用の照度センサを設ける必要がない。従って、液晶モニタ１７の開閉を検出できるカメラ１を、より低コストで提供できる。
【００４１】
（３）本実施形態において、カメラ制御部２２は、照度センサ１９で検出された周囲光の測定値ｍが設定値ｓよりも小さくなった場合に、液晶モニタ１７から信号光を発生させる。このため、常時、信号光を発生させる場合に比べて、省電力を実現できる。
【００４２】
（４）本実施形態において、カメラ制御部２２は、照度センサ１９が液晶モニタ１７から発せられた信号光を検出した場合には、液晶モニタ１７における画像表示を停止する。これによれば、液晶モニタ１７において不要な画像表示をする必要がないため、省電力を実現できる。
【００４３】
（５）本実施形態において、カメラ制御部２２は、液晶モニタ１７における画像表示を停止した後、信号光を周期的に発生させる。そして、照度センサ１９において、液晶モニタ１７から発せられた信号光を検出しない場合には、液晶モニタ１７における画像表示を再開する。これによれば、撮影者が液晶モニタ１７を閉じた後、再び液晶モニタ１７を開いた場合には、その動作と連動して画像表示が再開される。このため、撮影者は、液晶モニタ１７を開くだけで、液晶モニタ１７の画像を確認することができる。従って、撮影者は、速やかに撮影を開始することができる。
【００４４】
（６）本実施形態において、カメラボディ２の背面側には、反射板５が設けられる。このため、照度センサ１９において、液晶モニタ１７から発せられた信号光をより確実に検出できる。
【００４５】
（変形形態）
以上説明した実施形態に限定されることなく、本発明は以下に示すような種々の変形や変更が可能であり、それらも本発明の範囲内である。
本実施形態では、液晶モニタ１７から発せられた信号光を検出する光検出部として、液晶モニタ１７の表示画面２７に照射された周囲光の照度を検出する照度センサ１９が兼用される。しかし、光検出部の構成は、この例に限定されない。すなわち、液晶モニタ１７から発せられた信号光を検出する光検出部として、専用の照度センサを設けてもよい。
【００４６】
本実施形態において、カメラ制御部２２は、照度センサ１９が液晶モニタ１７から発せられた信号光を検出した場合に、液晶モニタ１７における画像表示を停止する。しかし、液晶モニタ１７が閉じられた場合の処理は、この例に限定されない。例えば、ライブビュー画像を撮影中に液晶モニタ１７が閉じられた場合には、ライブビュー画像の撮影を停止するようにしてもよい。またその際に、液晶モニタ１７における画像表示を停止してもよい。このように、液晶モニタ１７が閉じられた場合には、液晶モニタ１７の状態を切り替えるだけでなく、カメラボディ２の状態を切り替えてもよいし、液晶モニタ１７及びカメラボディ２の両方の状態を切り替えてもよい。
【００４７】
本実施形態において、カメラ制御部２２は、照度センサ１９で検出された周囲光の測定値ｍが設定値ｓよりも小さくなった場合に、液晶モニタ１７から信号光を発生させる。しかし、信号光を発生させるタイミングは、この例に限定されない。例えば、周囲光の測定値に係らず、所定の時間間隔で信号光を発生させてもよい。また、常時、信号光を発生させてもよい。
【００４８】
本実施形態では、信号光として、所定期間、バックライト１８の輝度を周期的に変化させている。しかし、信号光の発生は、この例に限定されない。例えば、バックライト１８の輝度を一定とし、液晶モニタ１７の表示画面２７に明滅する画像を表示してもよい。また、画像の明滅は、表示画面２７の全体でもよいし、部分的であってもよい。表示画面２７を部分的に明滅させた場合には、撮影者に違和感を与えることなく信号光を発生させることができる。また、信号光を発生させる画像として、専用の画像パターン（例えば、白黒の明滅パターン）を表示してもよいし、特定の色（例えば、赤）を表示してもよい。
【００４９】
本実施形態では、カメラボディ２の背面側に反射板５を設けている。しかし、カメラボディ２の背面側において、信号光を照度センサ１９の側に反射ことができれば、必ずしも反射板５は必要ない。
【００５０】
本実施形態において、液晶モニタ１７は、一軸式のヒンジ部４によりカメラボディ２に連結される。しかし、液晶モニタ１７とカメラボディ２とを連結するヒンジ部の構成は、この例に限定されない。例えば、液晶モニタ１７を、二軸式のヒンジ部によりカメラボディ２に連結してもよい。
【００５１】
本実施形態において、照度センサ１９は、表示画面２７の近傍に設けられる。しかし、照度センサ１９の配置は、この例に限定されない。照度センサ１９は、表示画面２７に照射される周囲光及び液晶モニタ１７から発せられる信号光を検出することができれば、表示画面２７の近傍以外に設けられてもよい。
【００５２】
本実施形態において、カメラ制御部２２は、液晶モニタ１７が閉じられ、信号光を周期的に発生させている間に、液晶モニタ１７からの信号光を検出しない場合には、液晶モニタ１７において画像表示を再開させる。しかし、画像表示を再開するタイミングは、この例に限定されない。例えば、液晶モニタ１７が閉じられた後、特定のボタンが操作されたときに画像表示を再開してもよい。この場合には、液晶モニタ１７が閉じられた後、液晶モニタ１７において信号光を周期的に発生させる必要がないため、省電力を実現できる。
【００５３】
本実施形態では、本発明をレンズ交換式のデジタル一眼レフカメラに適用した例について説明した。しかし、本発明の適用は、この例に限定されない。例えば、可動式の液晶モニタを備えたレンズ一体型のデジタルカメラやビデオカメラにも適用できる。また、本発明は、開閉操作可能な液晶モニタを備えたノートＰＣや携帯電話にも適用できる。
【００５４】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００５５】
１：カメラ、２：カメラボディ、３：レンズ鏡筒、５：反射板（反射部材）、１７：液晶モニタ（表示部）、１９：照度センサ（光検出部）、２２：カメラ制御部（制御部）、２７：表示画面
【図１】
2013172342.tif 000003
【図２】
2013172342.tif 000004
【図３】
2013172342.tif 000005
【図４】
2013172342.tif 000006
【図５】
2013172342.tif 000007